(57)【要約】【課題】下框の下面に設けた垂れ下がり防止部品取付け溝の溝幅が異なる場合であっても、一種類の垂れ下がり防止部品を兼用できる建具を提供する。【解決手段】下框２７の下面に垂れ下がり防止部品取付け溝４３が左右方向に形成してあり、垂れ下がり防止部品９は、垂れ下がり防止部品取付け溝４３に嵌入する平面視略長方形の嵌入部５７と、下面５９を有し、下面５９には、嵌入部５７の平面視略長方形の長辺５７ａの下方に位置する長辺側傾斜面５９ａと、嵌入部５７の短辺５７ｂの下方に位置する短辺側傾斜面５９ｂとが隣り合あって設けてあり、嵌入部５７の短辺５７ｂが左右方向に配置してあるときには、短辺側傾斜面５９ｂが障子の閉じ側ほど下枠１３との間隔を広くするように見込み方向に傾斜し、嵌入部５７の長辺５７ａが左右方向に配置してあるときには、長辺側傾斜面５９ａが障子の閉じ側ほど下枠との間隔を広くするように見込み方向に傾斜している。【選択図】図１
2014173306.tif 000002
【特許請求の範囲】
【請求項１】
枠と、障子と、垂れ下がり防止部品とを備え、障子には、下框の下面に垂れ下がり防止部品取付け溝が左右方向に形成してあり、垂れ下がり防止部品は、垂れ下がり防止部品取付け溝に嵌入する平面視略長方形の嵌入部と、下枠の内周面に対向する下面を有し、垂れ下がり防止部品の下面には、嵌入部の平面視略長方形の長辺の下方に位置する長辺側傾斜面と、嵌入部の平面視略長方形の短辺の下方に位置する短辺側傾斜面とが隣り合あって設けてあり、垂れ下がり防止部品は、嵌入部の平面視略長方形の短辺が左右方向に配置してあるときには、短辺側傾斜面が障子の閉じ側ほど下枠との間隔を広くするように見込み方向に傾斜し、嵌入部の平面視略長方形の長辺が左右方向に配置してあるときには、長辺側傾斜面が障子の閉じ側ほど下枠との間隔を広くするように見込み方向に傾斜して位置することを特徴とする建具。
【発明の詳細な説明】
【技術分野】
【０００１】
本発明は、ドア等の建具に関する。
【背景技術】
【０００２】
特許文献１には、障子の下框に下枠上面に対向する垂れ下がり防止部品を設けたキャビネットが開示されている。この特許文献１の垂れ下がり防止部品の下面には、障子の閉じ側程下枠との間隔を広くするように見込み方向に傾斜した傾斜面が形成してある。
一方、障子の下框の下面に垂れ下がり防止部品取付け溝を左右方向に形成し、この溝に垂れ下がり防止部品の嵌入部を嵌入して垂れ下がり防止部品を取付ける建具がある。かかる建具では、障子の種類によって、垂れ下がり防止部品取付け溝の溝幅が異なる場合がある。
例えば、障子の戸先框の外周面には、閉じた障子を枠にロックするロック装置のロック部材を取付ける取付け溝を設け、障子の下框にもロック部材取付け溝と同一幅の垂れ下がり防止部品取付け溝を形成した建具では、ロック装置の種類に応じて垂れ下がり防止部品取付け溝の溝幅を異にしている。
【先行技術文献】
【特許文献】
【０００３】
【特許文献１】特許第５１３１９０２号公報
【発明の概要】
【発明が解決しようとする課題】
【０００４】
しかし、障子の種類によって、垂れ下がり防止部品取付け溝の溝幅が異なると、その溝幅に応じて嵌入部の寸法が異なる垂れ下がり防止部品を用意する必要があった。
【０００５】
そこで、本発明は、下框の下面に設けた垂れ下がり防止部品取付け溝の溝幅が異なる場合であっても、一種類の垂れ下がり防止部品を兼用できる建具の提供を目的とする。
【課題を解決するための手段】
【０００６】
請求項１に記載の発明は、枠と、障子と、垂れ下がり防止部品とを備え、障子には、下框の下面に垂れ下がり防止部品取付け溝が左右方向に形成してあり、垂れ下がり防止部品は、垂れ下がり防止部品取付け溝に嵌入する平面視略長方形の嵌入部と、下枠の内周面に対向する下面を有し、垂れ下がり防止部品の下面には、嵌入部の平面視略長方形の長辺の下方に位置する長辺側傾斜面と、嵌入部の平面視略長方形の短辺の下方に位置する短辺側傾斜面とが隣り合あって設けてあり、垂れ下がり防止部品は、嵌入部の平面視略長方形の短辺が左右方向に配置してあるときには、短辺側傾斜面が障子の閉じ側ほど下枠との間隔を広くするように見込み方向に傾斜し、嵌入部の平面視略長方形の長辺が左右方向に配置してあるときには、長辺側傾斜面が障子の閉じ側ほど下枠との間隔を広くするように見込み方向に傾斜して位置することを特徴とする建具である。
【発明の効果】
【０００７】
請求項１に記載の発明によれば、垂れ下がり防止部品取付け溝の溝幅が広い場合には、垂れ下がり防止部品の嵌入部を平面視略長方形の短辺を左右方向にして垂れ下がり防止部品取付け溝に嵌入して、垂れ下がり防止部品を取付ける。垂れ下がり防止部品の下面は、短辺側傾斜面が障子の閉じ側ほど下枠との間隔を広くするように見込み方向に傾斜するので、障子が僅かに下がった場合に、短辺側傾斜面が下枠に接触しながら閉じることで、障子が大きく垂れ下がるのを防止する。
垂れ下がり防止部品の溝幅が狭い場合には、垂れ下がり防止部品の嵌入部を平面視略長方形の長辺を左右方向にして垂れ下がり防止部品取付け溝に嵌入して、垂れ下がり防止部品を取付ける。垂れ下がり防止部品の下面は、長辺側傾斜面が障子の閉じ側ほど下枠との間隔を広くするように見込み方向に傾斜するので、障子が僅かに下がった場合には、長辺側傾斜面が下枠に接触しながら閉じることで、障子が大きく垂れ下がるのを防止する。
このように、請求項１に記載の発明によれば、垂れ下がり防止部品取付け溝の見込み幅が異なる障子に対して、垂れ下がり防止部品の嵌合部の向きを変えて取付けることにより、一種類の垂れ下がり防止部品を兼用できる。
【図面の簡単な説明】
【０００８】
【図１】本発明の実施の形態にかかる建具であって異なる種類の建具の下部を並べて示す縦断面図であって、（ａ）は図３に示す縦断面図の下部、（ｂ）は図６に示す縦断面図の下部である。
【図２】垂れ下がり防止部品の図であり、（ａ）は底面図、（ｂ）は側面図、（ｃ）は正面図、（ｄ）は平面図である。
【図３】図５に示すＡ−Ａ断面図である。
【図４】図５に示すＢ−Ｂ断面図である。
【図５】一の種類の建具の図であり、（ａ）は室内側から見た正面図、（ｂ）は室外側から見た正面図である。
【図６】図８（ａ）に示すＣ−Ｃ断面図である。
【図７】図８（ｂ）に示すＤ−Ｄ断面図である。
【図８】他の種類の建具の図であり、（ａ）は室内側から見た正面図、（ｂ）は室外側から見た正面図である。
【発明を実施するための形態】
【０００９】
以下に、添付図面を参照して本発明の実施の形態を説明する。図５及び図８に示すように、本実施の形態に係る一の種類の建具１Ａ及び他の種類の建具１Ｂは共にドアであり、図５に示す一の種類の建具１Ａはロック装置（後述する）３５としてラッチを備えないグレモン錠を用いており、図８に示す他の種類の建具１Ｂは、ロック装置３５としてラッチ付きのグレモン錠を用いている。
まず、図１〜図５を参照して一の種類の建具１Ａについて説明する。一の種類の建具１Ａは、図５に示すように、枠５と、障子７と、垂れ下がり防止部品９（図３参照）とを備えている。
枠５は、樹脂製形材でできており、上枠１１、下枠１３、吊元側竪枠１５、戸先側竪枠１７の各端部を斜めに切断した端部を突き合せて枠組みしてある。また、図３及び図４に示すように、上枠１１、下枠１３、吊元側竪枠１５、戸先側竪枠１７は断面が同一形状の形材を用いている。
図４に示すように、戸先側竪枠１７には、後述するピン３ａを受けるピン受け２１が取り付けてある。
吊元側竪枠１５には後述するヒンジ１９の枠側固定部１９ａが取付けてある。
尚、図３に示すように、下枠１３には、水抜き孔が形成してあり、水抜き孔には、キャップ２２が取り付けてある。キャップ２２には、水抜き孔に連通する孔が形成されているが、キャップ２２の孔は２つに分けてあり、各孔は虫等が入り込み難い寸法にしてある。
【００１０】
図５に示すように、障子７は、上框２５、下框２７、吊元側竪框２９、戸先側竪框３１を有し、各框２５、２７、２９、３１は樹脂製形材でできており、各框２５、２７、２９、３１は端部を斜めに切断した端部を突き合せて框組みしてある。また、図３及び図４に示すように、上框２５、下框２７、吊元側竪框２９、戸先側竪框３１は断面が同一形状の形材を用いている。
図５に示すように、戸先側竪框３１には、開閉ハンドル３３と、ロック装置３５と、サムターン３７とが設けてある。ロック装置３５はラッチを備えないグレモン錠であり、図４に示すように、開閉ハンドル３３の操作により上下動するフロントプレート３ｃと、フロントプレート３ｃに固定されたピン３ａを備えている。このロック装置３５では、開閉ハンドル３３の操作により、フロントプレート３ｃが上方又は下方に移動することにより、ピン受け２１にピン３ａが係合して障子７をロックし又はロックを解除するようになっている。サムターン３７は、ピン３ａがピン受け２１に係合状態にあるときのフロントプレート３ｃの上下動を規制することにより施錠する。
戸先側竪框３１にはその外周面にフロントプレート（ロック部材）３ｃを取り付けるロック部材取付溝４１が周方向に亘って形成してある。ロック部材取付溝４１の溝幅Ｈ１は、フロントプレート３ｃの幅寸法としてある。
図１（ａ）に示すように、下框２７の下面にも、ロック部材取付溝４１と同一形状で同一の溝幅Ｈ１の垂れ下がり防止部品取付け溝４３が形成してある。
図３及び図４に示すように、障子７の各框２５、２７、２９、３１には、パネル４５の周縁部を保持するパネル保持部４７が形成されている。図１（ａ）に示すように、パネル保持部４７にはパネル４５の室内側面に当接する室内側当接部４９が設けてあり、室内側当接部４９の内周側にはパネル４５に密着する軟質樹脂製で片状の密着部５１が内周側当接部４９と一体に設けてある。尚、パネル保持部４７の室外側には、押縁５３を装着する押縁装着部５５が形成してあり、押縁装着部５５に押縁５３を装着してパネル保持部４７にパネル４５を保持している。
図４に示すように、障子７の吊元側竪框２９には、ヒンジ１９の障子固定部１９ｂが取付けてある。障子固定部１９ｂには、吊元側竪框２９との間にスペーサ６１が設けてあり、スペーサ６１の枚数を調整して障子固定部１９ｂと吊元側竪框２９との間の間隔を調整している。ヒンジ１９には、吊元側竪框２９の室外側見付け面に向けて突設する突条の遮蔽部６３が形成してあり、遮蔽部６３でスペーサ６１を室外側から隠している。
【００１１】
図１及び図２に示すように、垂れ下がり防止部品９は、下框２７の戸先側部に取付けるものであり、下框２７の垂れ下がり防止部品取付け溝４３に嵌入する嵌入部５７と、下枠１３の内周面に対向する下面５９を有している。垂れ下がり防止部品９の嵌入部５７には、下框２７の下がり防止部品取付け溝４３の溝底４３ａに止めるねじ孔５８が形成してあり、図１（ａ）に示すように、下がり防止部品取付け溝４３の溝底４３ａの裏側に配置した裏板４６と共にねじ４８で固定してある。裏板４６は下框２７の中空部２７ａに挿入して溝底４３ａの裏側に当ててあり、裏板４６にはねじ孔４６ｂが形成してある。裏板４６は、断面略Ｌ字形状を成し、Ｌ字のコーナー部４６ａを室外側に配置して垂れ下がり防止部品取付け溝４３の室外側コーナー部４３ｃに当接させて位置決めしてある。
裏板４６のねじ孔４６ｂの位置は、裏板４６のコーナー部４６ａを垂れ下がり防止部品取付け溝４３の裏側で室外側のコーナー部４３ｃに当接させたときには、垂れ下がり防止部品９の嵌入部５７の平面視略長方形の長辺５７ａを左右方向に配置したときの垂れ防止部品９のねじ孔５８に一致する位置にあり、図１（ｂ）に示すように、裏板４６のコーナー部４６ａを垂れ下がり防止部品取付け溝４３の裏側で下框２７の中空部２７ａの室内側コーナー部２７ｂに当接させて配置したときには、垂れ下がり防止部品９の嵌入部５７の平面視略長方形の短辺５７ａを左右方向に配置したときの垂れ防止部品９のねじ孔５８に一致する寸法としてある。
【００１２】
図２に示すように、垂れ下がり防止部品９の嵌入部５７は、平面視略長方形を成し、長方形の長辺５７ａと、短辺５７ｂとを有すると共に全体として略直方体形状を成している。尚、図２において、短辺５７ｂは二点鎖線で仮想線として示している。
垂れ下がり防止部品９の下面５９には、嵌入部５７の平面視略長方形の長辺５７ａの下方に位置する長辺側傾斜面５９ａと、嵌入部５７の平面視略長方形の短辺５７ｂの下方に位置する短辺側傾斜面５９ｂと、頂面５９ｃとが形成してある。長辺側傾斜面５９ａと短辺側傾斜面５９ｂとは境界線６０を境にして隣り合あって形成してあり且つ連続した面にしてある。頂面５９ｃは、図１（ａ）（ｂ）に示すように、垂れ下がり防止部品９を下框２７に装着したときに、嵌入部５７の長辺５７ａ及び短辺５７のいずれを下框２７の左右方向に配置したときにも室外側に位置する面であり、長辺側傾斜面５９ａ及び短辺側傾斜面５９ｂは頂面５９ｃ側が最も低くなるように傾斜している。
【００１３】
ここで、図６〜図８を参照して、他の種類の建具１Ｂについて説明するが、以下の説明において、一の種類の建具１Ａと同一の作用効果を奏する部分には同一の符号を付することにより、その部分の詳細な説明を省略し、以下の説明では、一の種類の建具１Ａと主に異なる点を説明する。また、この他の種類の建具１Ｂでは、一の種類の建具１Ａで用いた垂れ下がり防止部品９と同種の垂れ下がり防止部品９と裏板４６を用いている。
他の種類の建具１Ｂは、一の種類の建具１Ａとはロック装置３５、ロック部材取付溝４１の溝幅Ｈ２と、垂れ下がり防止部品取付け溝４３の溝幅Ｈ２とが主に異なっている。戸先側竪框３１に設けてあるロック装置３５はラッチ付きのグレモン錠であり、図７に示すように、開閉ハンドル３３の操作により上下動するフロントプレート３ｃと、フロントプレート３ｃに形成された孔から突没するラッチ３ｂを備えている。戸先側竪枠１７には、ラッチ３ｂを受けるラッチ受け２４が設けてある。このロック装置３５では、開閉ハンドル３３の操作により、ラッチ３ｂがフロントプレート３ｃに形成された孔から突出してラッチ受け２４に係合することで障子７を仮締めする。尚、他の種類の建具１Ｂでは、サムターン３７は、その操作によりデッドボルトを出没させて障子７をロックし又はロックを解除している。また、ロック装置３５では、図示を省略しているが、一の種類の建具１Ａと同様に、フロントプレート３ｃにピン３ａが固定してあり、開閉ハンドル３３の操作によりフロントプレート３ｃが上方又は下方に移動することによりピン３ａが戸先側竪枠１７に設けたピン受け２１に係合して障子７をロックするようになっている（図４参照）。
戸先側竪框３１において、ラッチ３ｂの突没孔を形成しているフロントプレート３ｃの幅が一の種類の建具１Ａにおけるフロントプレート３ｃの幅よりも広いので、ロック部材取付溝４１の溝幅Ｈ２は、一の種類の建具１Ａの取付溝４１の溝幅Ｈ１よりも広くしてある。これに伴なって、上框２５、下框２７、吊元側竪框２９も戸先側竪框３１と断面が同一形状の形材を使用している為、図１に示すように、下框２７に形成してある垂れ下がり防止部品取付け溝４３の溝幅Ｈ２も一の種類の建具１Ａのロック部材取付溝４１の溝幅Ｈ１よりも広く寸法になっている。
図６及び図１（ｂ）に示すように、他の種類の建具１Ｂでは、嵌入部５７の平面視略長方形の短辺５７ｂを左右方向に配置して垂れ下がり防止部品９の嵌入部５７を下框２７の垂れ下がり防止部品取付け溝４３に装着している。垂れ下がり防止部品９の下面５９では、短辺側傾斜面５９ｂが障子７の閉じ側ほど下枠１３との間隔を広くするように見込み方向に傾斜している。
【００１４】
次に、本発明の実施の形態にかかる一の種類の建具１Ａ及び他の種類の建具１Ｂにおける垂れ下がり防止部品９の取り付け、及び作用効果について説明する。
図１（ａ）及び図３に示すように、一の種類の建具１Ａに垂れ下がり防止部品９を取付ける場合には、垂れ下がり防止部品９の嵌入部５７を、平面視略長方形の長辺５７ａを左右方向に配置して垂れ下がり防止部品取り付け溝４３に嵌入すると共に、裏板４６を下框２７の中空部２７ａ内に挿入して、溝底４３ａの裏側で裏板４６のコーナー部４６ａを溝底４３ａの室外側コーナー４３ｃに当てる。そして、下框２７の中空部２７ａからねじ４８で下框２７に固定する。
図１（ｂ）及び図６に示すように、他の種類の建具１Ｂに垂れ下がり防止部品９を取付ける場合には、垂れ下がり防止部品９の嵌入部５７を、平面視略長方形の短辺５７ｂを左右方向に配置して垂れ下がり防止部品取り付け溝４３に挿入すると共に、裏板４６を下框２７の中空部２７ａ内に挿入して、溝底４３ａの裏側で裏板４６のコーナー部４６ａを中空部２７ａの室内側コーナー２７ｂに当てる。そして、垂れ下がり防止部品９の下面５９側からねじ４８で下框２７に固定する。
【００１５】
本実施の形態によれば、図１（ａ）に示すように、垂れ下がり防止部品取付溝４３の溝幅Ｈ１（狭い溝巾）の場合には、垂れ下がり防止部品９の嵌入部５７は平面視略長方形の長辺５７ａを左右方向にして垂れ下がり防止部品取付け溝４３に嵌入して、垂れ下がり防止部品９を障子下面に取付ける。垂れ下がり防止部品９の下面５９は、長辺側傾斜面５９ａが障子７の閉じ側ほど下枠１３との間隔を広くするように見込み方向に傾斜しているので、障子７が僅かに下がった場合には、短辺側傾斜面５９ｂが下枠１３に接触しながら閉じることで、障子が大きく垂れ下がるのを防止する。
図１（ｂ）に示すように、垂れ下がり防止部品取付溝４３の溝幅Ｈ２（広い溝幅）の場合には、垂れ下がり防止部品９の嵌入部５７は平面視略長方形の短辺５７ｂを左右方向にして垂れ下がり防止部品取付け溝４３に嵌入して、垂れ下がり防止部品９を障子下面に取付ける。垂れ下がり防止部品９の下面５９は、短辺側傾斜面５９ｂが障子７の閉じ側ほど下枠１３との間隔を広くするように見込み方向に傾斜しているので、障子７が僅かに下がった場合に、長辺側傾斜面５９ａが下枠１３に接触しながら閉じることで、障子が大きく垂れ下がるのを防止する。
このように、本実施の形態によれば、垂れ下がり防止部品取付け溝４３の見込み幅Ｈ１、Ｈ２が異なる障子７に対して、一種類の垂れ下がり防止部品９を兼用できる。
【００１６】
裏板４６は、断面Ｌ字形状に形成してあり、図１（ａ）に示すように、垂れ下がり防止部品９の嵌入部５７を、平面視略長方形の長辺５７ａを左右方向に配置する場合には、裏板４６のＬ字のコーナー部４６ａを垂れ下がり防止部品取り付け溝４３の溝底４３ａの室外側コーナー部４３ｃに当て、図１（ｂ）に示すように、垂れ下がり防止部品９の嵌入部５７を、平面視長方形の短辺５７ｂを左右方向に配置する場合には、溝底４３ａの裏側で裏板４６のコーナー部４６ａを中空部２７ａの室内側コーナー２７ｂに当てることで、裏板４６のねじ孔４６ｂの位置を垂れ下がり防止部品９の嵌入部５７のねじ孔５８に一致する寸法にしているから、垂れ下がり防止部品取付け溝４３の溝幅Ｈ１、Ｈ２が異なる場合でも同種の裏板４６を用いて、容易に裏板４６ねじ孔５６ｂを嵌入部５７のねじ孔５８に一致させることができる。
ヒンジ１９にはスペーサ６１を隠す遮蔽部６３が設けてあるので、スペーサ６１が外部から見えず、外観が良い。
障子７の上框２５、下框２７、吊元側竪框２９、戸先側竪框３１の各パネル保持部４７にはパネル４５に密着する軟質樹脂製の密着部５１が一体に設けてあるから、グレイジングチャンネルを別に設けなくても、パネル保持部４７内に塵等が入るのを防止できる。
【００１７】
本発明は、上述した実施の形態に限らず、本発明の要旨を逸脱しない範囲で種々変形可能である。
例えば、一の種類の建具１Ａ、他の種類の建具１Ｂはドアに限らず、開きサッシ等で合っても良い。
下框に形成してある垂れ下がり防止部品取付溝４３の溝幅Ｈ１、Ｈ２は、ロック装置３５の種類により起因して異なることに限らず、その他の部品との関係に起因して異なるものであっても良いし、他の部品との関係に起因せずに単に溝幅Ｈ１、Ｈ２が異なるものであっても良い。
垂れ下がり防止部品９の下面５９は、長辺側傾斜面５９ａと短辺側傾斜面５９ｂとが境界線６０を境に隣接することに限らず、長辺側傾斜面５９ａと短辺側傾斜面５９ｂとの間に間隔をあけて隣り合うものであっても良い。
【符号の説明】
【００１８】
１Ａ  一の種類の建具
１Ｂ  他の種類の建具
９    垂れ下がり防止部品
１３  下枠
２７  下框
４３  垂れ下がり防止部品取付け溝
５７  嵌入部
５７ａ  長辺
５７ｂ  短辺
５９ａ  長辺側傾斜面
５９ｂ  短辺側傾斜面
【図１】
2014173306.tif 000003
【図２】
2014173306.tif 000004
【図３】
2014173306.tif 000005
【図４】
2014173306.tif 000006
【図５】
2014173306.tif 000007
【図６】
2014173306.tif 000008
【図７】
2014173306.tif 000009
【図８】
2014173306.tif 000010